(57)【特許請求の範囲】
【請求項１】
（イ）室内に臨み換気口と操作窓とを形成してなる細長い金属製の内側本体と、
（ロ）室外に臨み換気口を形成してなる細長い金属製の外側本体と、
（ハ）上記内側本体と外側本体を互いに離間対峙させた状態で連結するとともに、これら内側本体，外側本体と協働して内部空間を構成するように、長手方向に対峙して配置された一対の樹脂製連結部材および幅方向に対峙して配置された一対の樹脂製連結部材と、
（ニ）上記内部空間に収容され、上記内側本体の換気口を開閉する細長い第一の作動板と、
（ホ）上記内部空間に収容され、上記外側本体の換気口を開閉する細長い第二の作動板と、
（ヘ）上記操作窓に上記本体の長手方向に沿ってスライド可能に収容されるとともに上記第一，第二の作動板と連携され、上記スライドに伴う閉じ操作位置で上記第一および第二の作動板を閉じ状態にするとともに、開き操作位置で上記第一および第二の作動板を開き状態にする操作つまみと、
を備えた換気装置において、上記第一作動板は、幅方向の一側縁に軸部を有しており、この軸部が、上記内側本体に形成された軸受に挿入されることにより、第一作動板が内側本体の長手方向にスライド可能であるとともに揺動可能に支持されており、第一作動板は軸部とは反対側にカムフォロアを有し、このカムフォロアが上記内部空間に配置されたカム部材と係合しており、第一作動板は、上記スライドに伴いカムフォロアとカム部材のカム作用により、内側本体に接した閉じ位置と、内側本体から離れた開き位置との間で揺動し、
上記第二作動板は、上記外側本体の換気口に対応した通気口を有するとともに上記外側本体に沿いその長手方向にスライド可能に支持されており、第二作動板が上記操作つまみの閉じ操作位置に対応したスライド位置にある時に、その通気口が外側本体の換気口からずれて位置し、第二作動板が上記操作つまみの開き操作位置に対応したスライド位置にある時に、その通気口が外側本体の換気口と一致した位置にあることを特徴とする換気装置。
【発明の詳細な説明】
【０００１】
【発明の属する技術分野】
本発明は、サッシ戸などに取り付けられ、操作つまみのスライド操作で換気口の開閉を行なえるようにした換気装置に関する。
【０００２】
【従来の技術】
従来から知られるサッシ戸取付け型の換気装置は、サッシ戸の上縁部または下縁部に設置されるよう細長い構造を有しており、この換気装置によってサッシ戸を閉めたままで室内の自然換気を行なえるようになっている。
【０００３】
一般的な換気装置は、室内に臨む前壁に換気口と操作窓を形成してなる本体と、前壁の裏側に配置され換気口を開閉する作動板と、前壁の操作窓に収容され本体の長手方向にスライド可能な操作つまみとを備えている。この操作つまみのスライドに伴い作動板による換気口の開閉動作が行なわれる。本体の裏側には、上記作動板を覆う背板が取り付けられている。この背板には、通気口が形成されている。これら本体および背板は、アルミ型材等の金属により形成されている。
【０００４】
上述した従来の換気装置では、寒い季節に、外気に面する背板が冷やされ、本体の熱がこの背板によって奪われため、本体の前壁の温度が低くなる。この本体の前壁に暖かい空気が接することにより、結露が生じるという問題があった。
【０００５】
上記問題に対して、実公平６−４０８７２号公報に開示された換気装置は、互いに離れて対峙する細長い前側本体と後側本体とを備えている。これら本体は、長手方向に対峙する一対の樹脂製の連結部材と幅方向に対峙する一対の樹脂製連結部材により、離間対峙して連結されている。前側本体と後側本体とこれら連結部材により、内部空間が形成されている。前側本体と後側本体には換気口が形成されており、これら換気口は、第一，第二の作動板により開閉されるようになっている。これら作動板は、それぞれ前側本体，後側本体に沿ってスライド可能に支持されており、通気口を有している。これら第一，第二の作動板が、操作つまみの開き操作位置に対応するスライド位置にある時、それぞれの通気口が対応する本体の換気口に重なった位置にあるため、換気を行えるようになっている。また、これら第一，第二の作動板が操作つまみの閉じ操作位置に対応するスライド位置にある時、それぞれの通気口が対応する本体の換気口からずれた位置にあるため、これら換気口が塞がれており、上記内部空間が密閉空間となっている。
【０００６】
上記換気装置の閉じ状態において、外側本体と内側本体とは、樹脂製連結部材により熱的に遮断されており、また、密閉された内部空間内の空気も断熱層として働く。そのため、冷えた外側本体が内側本体から熱を奪わないので、前側本体への結露を防止している。
【０００７】
【発明が解決しようとする課題】
上記構成では、第一，第二の作動板が、スライドすることにより開閉動作を行うようになっており、これら作動板と前側本体，後側本体との密着性は必ずしも良好ではない。そのため、これら作動板間にゴム製の弾性部材を介在させ、この弾性部材の弾性力を利用して作動板と本体との間の密着性を高め、ひいては内部空間の密閉性を確保している。しかし、この弾性部材は、経時劣化しやすく、長期間使用により内部空間の密閉性が悪化し、前側本体に結露を招くことがあった。
【０００８】
【課題を解決するための手段】
請求項１の発明は、（イ）室内に臨み換気口と操作窓とを形成してなる細長い金属製の内側本体と、（ロ）室外に臨み換気口を形成してなる細長い金属製の外側本体と、（ハ）上記内側本体と外側本体を互いに離間対峙させた状態で連結するとともに、これら内側本体，外側本体と協働して内部空間を構成するように、長手方向に対峙して配置された一対の樹脂製連結部材および幅方向に対峙して配置された一対の樹脂製連結部材と、（ニ）上記内部空間に収容され、上記内側本体の換気口を開閉する細長い第一の作動板と、（ホ）上記内部空間に収容され、上記外側本体の換気口を開閉する細長い第二の作動板と、（ヘ）上記操作窓に上記本体の長手方向に沿ってスライド可能に収容されるとともに上記第一，第二の作動板と連携され、上記スライドに伴う閉じ操作位置で上記第一および第二の作動板を閉じ状態にするとともに、開き操作位置で上記第一および第二の作動板を開き状態にする操作つまみと、を備えた換気装置において、上記第一作動板は、幅方向の一側縁に軸部を有しており、この軸部が、上記内側本体に形成された軸受に挿入されることにより、第一作動板が内側本体の長手方向にスライド可能であるとともに揺動可能に支持されており、第一作動板は軸部とは反対側にカムフォロアを有し、このカムフォロアが上記内部空間に配置されたカム部材と係合しており、第一作動板は、上記スライドに伴いカムフォロアとカム部材のカム作用により、内側本体に接した閉じ位置と、内側本体から離れた開き位置との間で揺動し、上記第二作動板は、上記外側本体の換気口に対応した通気口を有するとともに上記外側本体に沿いその長手方向にスライド可能に支持されており、第二作動板が上記操作つまみの閉じ操作位置に対応したスライド位置にある時に、その通気口が外側本体の換気口からずれて位置し、第二作動板が上記操作つまみの開き操作位置に対応したスライド位置にある時に、その通気口が外側本体の換気口と一致した位置にあることを特徴とする。
【００１２】
【発明の実施の形態】
以下、本発明の第１実施形態を図１〜図５に基づき詳細に説明する。図１に最も良く示されているように、換気装置は、アルミ型材等の金属からなる内側本体１０と外側本体２０を備えている。これら本体１０，２０は、左右方向に細長い板形状に形成されており、垂直をなして前後に対峙している。
【００１３】
図２に示すように、内側本体１０は、中央部に左右方向に細長い操作窓１１を有し、この操作窓１１の左右部に、多数のスリット形状の換気口１２を有している。図３に示すように、外側本体２０は、左右に等間隔をなして多数の換気口２２を有している。
【００１４】
内側本体１０と外側本体２０の左右両端部（長手方向両端部）は、樹脂製のキャップ３１，３２（連結部材）に嵌め込まれ、互いに離れた状態で連結されている。また、内側本体１０と外側本体２０の上下部（幅方向両端部）は、樹脂製のブリッジ３３，３４（連結部材）により連結されている。そして、これら本体１０，２０，キャップ３１，３２，ブリッジ３３，３４により、内部空間３５が形成されている。
【００１５】
上記ブリッジ３３，３４と本体１０，２０との連結構造について説明する。図４に示されているように、上側のブリッジ３３は、硬質樹脂製の板形状のブリッジ本体３３ａと、このブリッジ本体３３ａの下面に形成された軟質樹脂層３３ｂとを有している。ブリッジ本体３３ａの幅方向の両側縁部（前縁部と後縁部）は、幅方向外方向に向かって徐々に厚肉となるように、その上下面が傾斜している。
【００１６】
他方、内側本体１の上端部の後面には、一対の突起１３ａ，１３ｂが形成されており、これら突起１３ａ，１３ｂ間に、上記ブリッジ３３の両側縁部に合致した断面形状の嵌合溝１３ｃが形成されている。外側本体１の上端部の前面にも同様の突起２３ａ，２３ｂが形成され、これら突起２３ａ，２３ｂ間にも嵌合溝２３ｃが形成されている。
【００１７】
上記ブリッジ３３の両側縁部をその長手方向から本体１０の嵌合溝１３ｃ，２３ｃに嵌め込むことにより、本体１０，２０の上端部がブリッジ３３を介して連結される。この後で、ローラ等により、上側の突起１３ａ，２３ａに押圧力を付与することにより、これら突起１３ａ，２３ａを下方に向かって若干量変形させる。これにより、軟質樹脂層３３ｂを圧縮変形させ、ブリッジ３３と本体１０，２０との間のシール性を向上させる。
【００１８】
上記と同様に、内側本体１０と外側本体２０の下端から所定距離上方において、突起１４ａ，１４ｂ，突起２４ａ，２４ｂがそれぞれ形成されている。また、下側のブリッジ３４も上側ブリッジ３３と同様に、硬質樹脂製の板形状のブリッジ本体３４ａとその上面に形成された軟質樹脂層３４ｂとを有している。このブリッジ３４の厚肉の両側縁部を本体１０，２０の嵌合溝１４ｃ，２４ｃに嵌合した状態で、ローラで下側の突起１４ｂ，２４ｂを上方へ押し上げることにより、シール性を高めている。
【００１９】
さらに上記換気装置は、内部空間３５内に収容された第一作動板４０と第二作動板５０とを備えている。これら作動板４０，５０は、アルミ型材等の金属からなり本体１０，２０の長手方向に細長く形成されている。
【００２０】
上記第一作動板４０は、上端縁にその長手方向に沿って延びる軸部４１を有しており、下端縁には、長手方向に離間して複数の突起４２（カムフォロア）を有している。内側本体１０の後面には、突起１３ｂと換気口１２との間に位置して、軸受１５が形成されている。この軸受１５に上記軸部４１が挿入されることにより、第一作動板４０は、内側本体１０に揺動可能かつ長手方向にスライド可能に支持されている。
【００２１】
さらに、内側本体１０の後面には、突起１４ａと換気口１２の間に位置して、長手方向に延びる支持部１６が形成されている。この支持部１６には、長手方向に離間した複数のカム部材６０が固定されている。このカム部材６０の上面には、図５に示すように、カム溝６１が形成されている。このカム溝６１は、内側本体１０に対して傾斜する傾斜部６１ａと、この傾斜部６１ａの両端に形成され内側本体１０と平行をなす平行部６１ｂ，６１ｃとを有している。このカム溝６１に、上記第一作動板４０の突起４２が挿入されて案内される。
【００２２】
上記外側本体２０の前面には、外側換気口２２の上下に位置して、スライド案内溝２５，２６が形成されている。これらスライド案内溝２５，２６は外側本体２０の長手方向に延びており、第二作動板５０の上下縁が長手方向にスライド可能に嵌められている。図３に示すように、第二作動板５０には、外側本体２０の換気口２２と同形状の通気口５１が換気口２２と同一ピッチ離れて同数形成されている。
【００２３】
換気装置は、さらに操作つまみ７０を備えている。この操作つまみ７０は、つまみ本体７１と、裏板７２とを有している。つまみ本体７１の前端部は、内側本体１０の操作窓１１に、長手方向スライド可能に収容されており、内側本体１０から若干突出している。つまみ本体７１は、第一作動板４０の中央に形成された嵌合孔（図示しない）に嵌合されることにより、この第一作動板４０と連携されている。また、つまみ本体７１の後面には係合凹部７１ａが形成されており、この係合凹部７１ａには、第二作動板５０の前面に固定された係合部材５５がはめ込まれている。これにより、操作つまみ７０は、第二作動板５０とも連携されている。なお、上記第一作動板４０の嵌合孔の周縁にパッキンを設けることにより、操作つまみ７０との間のシール性を高めてもよい。
図２に示すように、上記操作つまみ７０の裏板７２は、上記操作窓１１を覆うようになっており、その前面の左右部には、「開」，「閉」の表示がなされている。
【００２４】
内側本体１０と外側本体２０間の下端部間には、サッシ用の窓ガラス１００が緩衝材１０１を介して嵌め込まれる。この例では、窓ガラス１００には、ブリッジ１０２で間隔を保持された二重ガラスが用いられている。
【００２５】
上記構成の換気装置において、操作つまみ７０を、つまみ本体７１が操作窓１１の右端に当たる位置（開き操作位置）まで、図１において右方向にスライドさせると、第一作動板４０が同方向にスライドする。この際、図５に示すように、第一作動板４０のカムフォロア４２は、カム部材６０のカム溝６１に案内され、平行部６１ｂから傾斜部６１ａを経て平行部６１ｃに至る。その結果、第一作動板４０は、図１（Ａ）の閉じ位置から図１（Ｂ）の開き位置まで回動して内側本体１０から離れ、内側本体１０の換気口１２が開かれる。
【００２６】
上記操作つまみ７０が開き操作位置までスライドすると、この操作つまみ７０に連携された第二作動板５０も同方向にスライドする。その結果、第二作動板５０の通気口５１が外側本体２０の換気口２２に重なり合い、この換気口２２が開かれる。
上記のように、内側本体１０と外側本体２０の換気口１２，２２が開かれるため、室内外の空気が、換気口１２，２２，内部空間３５を経て換気される。
【００２７】
上記とは逆に、操作つまみ７０をつまみ本体７１が操作窓１１の左端に当たる位置（閉じ操作位置）まで、図１において左方向にスライドさせると、第一作動板４０が同方向にスライドする。この際、図５に示すように、第一作動板４０のカムフォロア４２は、カム部材６０のカム溝６１に案内され、平行部６１ｃから傾斜部６１ａを経て平行部６１ｂに至る。その結果、第一作動板４０は、図１（Ｂ）の開き位置から図１（Ａ）の閉じ位置まで回動して内側本体１０に接し、内側本体１０の換気口１２が閉じられる。なお、第一作動板４０の長手方向両端縁とこれに対応する内側本体１０の内面部分のいずれか一方にパッキンを設け、上記閉じ状態で、両者がパッキンを介して接するようにしてもよい。さらに、第一作動板４０の下端縁とこれに対応する内側本体１０の内面部分のいずれか一方にもパッキンを設けてもよい。
【００２８】
上記操作つまみ７０が閉じ操作位置までスライドすると、この操作つまみ７０に連携された第二作動板５０も同方向にスライドする。その結果、第二作動板５０の通気口５１が図３に示すように、外側本体２０の換気口２２に対してずれた位置になり、この換気口２２が第二作動板５０によって閉じられる。
【００２９】
上記のようにして、内側本体１０と外側本体２０の換気口１２，２２が閉じられるので、室内外の通気は遮断される。
上記閉じ状態において、内側本体１０と外側本体２０との間には、樹脂製のキャップ３１，３２，樹脂製のブリッジ３３，３４が介在されているため、本体１０，２０の間の熱移動を遮断している。しかも内部空間３５が密封されているので、内部空間３５の空気が断熱層となる。その結果、寒冷時期に冷たい外気にさらされる外側本体１０が、内側本体２０から熱を奪うのを防止でき、内側本体２０に結露が生じるのを防止することができる。
【００３０】
上記閉じ状態において、第一作動板４０がカム部材６０によるカム作用を利用して内側本体１０に確実に当接するので、両者の間のシール性が高い。これに対して、第二作動板５０はスライド型であり、第二作動板５０と外側本体２０との間のシール性は、揺動型の第一作動板４０と内側本体１０との間のシール性に比べて劣る。しかし、上述したように第一作動板４０と内側本体１０との間のシール性が高く、内部空間３５と室内との間で空気が流通が遮断されるため、内部空間３５と室外との間の空気が、第二作動板５０と外側本体２０との間のわずかな隙間を介して流通するのを抑制することができる。その結果、内部空間３５の気密性は十分高められ、断熱層としても役割を十分に果たすことができる。
上記実施形態では、第二作動板５０をスライド型にしたので、揺動のスペースが不要となり、換気装置を薄くすることができる。
【００４４】
【発明の効果】
以上説明したように請求項１の発明によれば、内側本体と外側本体との間を熱伝導率の低い樹脂製の連結部材で架橋したこと、内側本体と外側本体と連結部材とで形成される内部空間を換気口の閉じ状態で封じ、この内部空間の空気を断熱層としたことにより、室外の冷気によって冷やされた外側本体が内側本体の熱を奪うことなく、内側本体での結露を防止できる。しかも、第一作動板を揺動型とし内側本体にカム作用を利用して密着させることができるので、上記内部空間の密封度を上げることができ、ひいては、換気装置の断熱効果をより一層高めて上記結露を確実に防止することができる。また、第二作動板をスライド型としたことにより、換気装置を薄くすることができる。
【図面の簡単な説明】
【図１】本発明による換気装置の第１実施形態を示す縦断面図であり、（Ａ）は閉じ状態、（Ｂ）は開き状態をそれぞれ示す。
【図２】上記換気装置の正面図である。
【図３】上記換気装置の背面図である。
【図４】上記換気装置における内側本体，外側本体と連結部材との連結状態を示す拡大縦断面図である。
【図５】第一作動板のためのカム部材を示す平面図である。
【符号の説明】
１０ 内側本体
１１ 操作窓
１２ 内側換気口
１５ 軸受
２０ 外側本体
２２ 外側換気口
３１，３２ キャップ（樹脂製連結部材）
３３，３４ ブリッジ（樹脂製連結部材）
３５ 内部空間
３５ａ，３５ｂ 仕切られた空間部分
４０ 第一作動板
４１ 軸部
４２ 突起（カムフォロア）
４５ 換気口
５０ 第二作動板
５１ 通気口
６０ カム部材
７０ 操作つまみ
【図１】
0003720902.tif 000002
【図２】
0003720902.tif 000003
【図３】
0003720902.tif 000004
【図４】
0003720902.tif 000005
【図５】
0003720902.tif 000006